(57)【要約】【課題】従来の着脱式ワッペンよりも多種多様な模様を施すことのできるワッペンを提供する。【解決手段】対象物自体であるか又は対象物に固定されるものであるベース２と、ベース２に着脱自在に取り付けられる付属品３とを備えるワッペン１において、  前記ベース及び付属品の一方Ａが平面視で互いに形状を相補する複数の面ファスナー２ａ、２ｂを有し、  前記ベース及び付属品の他方Ｂが前記複数の面ファスナーと係り合う面ファスナー３ｂを有することを特徴とする。【選択図】図４
2017136157.tif 000002
【特許請求の範囲】
【請求項１】
対象物自体であるか又は対象物に固定されるものであるベースと、ベースに着脱自在に取り付けられる付属品とを備えるものにおいて、
前記ベース及び付属品の一方が平面視で互いに形状を相補する複数の面ファスナーを有し、
前記ベース及び付属品の他方が前記複数の面ファスナーと係り合う面ファスナーを有することを特徴とするワッペン。
【請求項２】
前記付属品が、前記面ファスナーと背中合わせに設けられた面ファスナーを有する、請求項１に記載のワッペン。
【発明の詳細な説明】
【技術分野】
【０００１】
この発明は、取り付け対象物の同じ個所で複数の模様を表現できるワッペンに関する。
【背景技術】
【０００２】
ワッペンを衣類、帽子、鞄などの取り付け対象物に着脱自在とすることにより、ワッペンを着けている場合と外している場合とで異なる意匠を享受することができる。従来の着脱式ワッペンにおいては、対象物全体をメスの面ファスナーで形成するか又は取り付け位置にメスの面ファスナーからなるベースを縫い付けたり接着したりし、ワッペンの裏面をオスの面ファスナーで形成していた。そして、これらの雄雌の面ファスナーを係り合わせることにより、ワッペンを取り付けていた。また、ベースに刺繍を施すことにより、更に意匠性を増すことも提案されている（特許文献１）。
【先行技術文献】
【特許文献】
【０００３】
【特許文献１】実用新案登録第３１２７９３５号公報
【発明の概要】
【発明が解決しようとする課題】
【０００４】
しかし、従来の着脱式ワッペンでは、対象物やベースの面ファスナー部分が単色のため、ワッペンを外している場合の意匠性に乏しい。かといって、特許文献１のようにベースに刺繍を施したり、プリントしたりすると、その部分がオスの面ファスナーと係り合わないので、ワッペンを取り付けている状態において対象物やベースと係り合う力が低下して外れるのを防ぐため、刺繍やプリントをあまり大きい面積で施すことができない。
それ故、この発明の課題は、従来の着脱式ワッペンよりも多種多様な模様を施すことのできるワッペンを提供することにある。
【課題を解決するための手段】
【０００５】
その課題を解決するために、この発明のワッペンは、
対象物自体であるか又は対象物に固定されるものであるベースと、ベースに着脱自在に取り付けられる付属品とを備えるものにおいて、
前記ベース及び付属品の一方Ａが平面視で互いに形状を相補する複数の面ファスナーを有し、
前記ベース及び付属品の他方Ｂが前記複数の面ファスナーと係り合う面ファスナーを有することを特徴とする。
【０００６】
この発明においては通常、ベース側の面ファスナーがループを有するメスで、付属品側の面ファスナーがフックを有するオスであるが、逆でも良いし、両方とも雌雄混合の面ファスナーであってもよい。付属品の面ファスナーのフック（ループ）と反対側の面には刺繍、プリントなどで模様が形成されていてもよいし、反対側の面にもループ（フック）が設けられていてもよい。
【０００７】
いずれにしても前記ベース及び付属品の一方Ａが平面視で複数の面ファスナーを有するので、一の面ファスナーとこれに隣接する別の面ファスナーとで色を異ならせたり、ループ（フック）の密度を異ならせるなどして、同一面内で望むところの模様を現すことができる。従って、ベースをＡ、付属品をＢとする組み合わせにおいては、付属品が取り付けられていない状態であってもベース自体が意匠性を発揮しうる。また、フック（ループ）と反対側の面に模様が形成された付属品をベースに取り付ければ、別の意匠性を発揮するし、反対側の面にもループ（フック）が設けられた付属品をベースに取り付ければ、もう一つ別の付属品を重ねて取り付けることができる。
【０００８】
一方、付属品をＡ、ベースをＢとする組み合わせにおいては、付属品を取り外したときにその裏面に模様が現れて意外性を味わうことができるし、取り外した状態で付属品をその裏面が見えるように飾っておいてもよい。いずれの組み合わせにおいても、フック（ループ）の係り合う面の模様が、刺繍やプリントによるのではなくフック（ループ）のみからなるので、相手方ファスナーとの係り合う力が模様の部分で低下することはない。
【０００９】
付属品は、そのフック（ループ）と反対側の面に雌雄を同じくするフック（ループ）を有するように、前記面ファスナーと背中合わせに設けられた面ファスナーを有するものであてもよい。これにより、一つの付属品の表裏両面で模様を異ならせ、ベースの模様とで合計３つの模様を選択することができる。
【発明の効果】
【００１０】
以上のように、この発明のワッペンは、フック（ループ）の係り合う面の模様が、刺繍やプリントによるのではなくフック（ループ）のみからなるので、ベースと付属品との係り合う力が模様の部分で低下することはない。従って、従来にない所望の多種多様な模様を実現することができる。
【図面の簡単な説明】
【００１１】
【図１】実施形態１のワッペンの使用状態を示す図である。
【図２】実施形態１のワッペンのベースを示す平面図である。
【図３】（ａ）が同ベースに用いられる面ファスナーの平面図、（ｂ）がもう一つの面ファスナーの平面図である。ただし、煩雑を避けるため、ループの図示は省かれている。
【図４】（ａ）が図３（ａ）におけるIV-IV断面図、（ｂ）が図３（ｂ）におけるIV-IV断面図、（ｃ）が図２におけるIV-IV断面図である。
【図５】実施形態１のワッペンの付属品を示す平面図である。
【図６】（ａ）が実施形態１のワッペンの付属品に用いられる布地の平面図、（ｂ）が同ワッペンの付属品に用いられる面ファスナーの平面図である。
【図７】図５におけるVII-VII断面図である。
【図８】（ａ）及び（ｂ）はいずれも実施形態２のワッペンの使用状態を示す図である。
【図９】実施形態２のワッペンの付属品を示し、（ａ）がその平面図、（ｂ）がその底面図である。ただし、煩雑を避けるため、フックの図示は省かれている。
【図１０】（ａ）〜（ｄ）はいずれも同ワッペンの付属品に用いられる面ファスナーを示す平面図である。ただし、煩雑を避けるため、（ａ）及び（ｂ）にけるループの図示は省かれている。
【図１１】（ａ）、（ｂ）、（ｃ）及び（ｄ）はそれぞれ図１０（ａ）、（ｂ）、（ｃ）及び（ｄ）におけるXI-XI断面図、（ｅ）は図９（ａ）におけるXI-XI断面図である。
【発明を実施するための形態】
【００１２】
−実施形態１−
この実施形態のワッペン１は、図１に示すように、対象物である衣類４に縫い付け又は接着されるベース２と、付属品３を備える。ベース２は、図２〜図４に示すように、平面視で日章旗模様を有し、日章旗の白地部分に対応して中央が円形に抜かれた面ファスナー２ａと、日章部分に対応して紅色円形をなす面ファスナー２ｂとからなる。
【００１３】
面ファスナー２ｂは、面ファスナー２ａの抜き部分にちょうど嵌まる。面ファスナー２ａの一方の主面には多数の白色のループが植えられ、面ファスナー２ｂの同じ側の主面には多数の紅色のループが植えられている。接着タイプの場合、反対側の面には図略の粘着剤が塗布されている。面ファスナー２ａ、２ｂの加工には、挟みやカッターを用いてもよいが、レーザーを用いると寸法精度に優れていてよい。
【００１４】
付属品３は、図５〜７に示すように、平面視でベース２と同形同大の布地３ａと面ファスナー３ｂとからなる。布地３ａの一方の主面には中央に星模様が刺繍又はプリントされている。面ファスナー３ｂの一方の主面には面ファスナー２ａ、２ｂのループと係り合う多数のフックが植えられている。そして、布地３ａと面ファスナー３ｂとを背中合わせにして図略の接着剤にて一体化されている。
【００１５】
ワッペン１によれば、付属品３が取り付けられていない状態では、あたかも日章旗のワッペンが衣類４に付いているように見えるし、付属品３をベース２に重ねて取り付ければベース２が隠れて星模様のワッペンだけが付いているように見える。即ち、ベース２と付属品３とで二種類の模様を選択的に表現することができる。また、前記日章旗の模様は全てループにて形成されているので、ベース２のループと付属品３のフックとの係り合う力は十分である。
【００１６】
−実施形態２−
この実施形態のワッペン１０は、図８に示すように、ベース２と、付属品５を備える。ベース２は、実施形態１におけるものと同じ模様を有していてもよいし、異なる模様を有していてもよい。ここでは同じ模様を有するものとして説明する。
【００１７】
付属品５は、図９に示すように、一方の主面に二重四角、もう一方の主面に縦縞といった具合に両面に模様が施されているものである。より詳しくは、中央に四角い孔が抜かれた面ファスナー６ａと、その孔に丁度嵌まる面ファスナー６ｂと、短冊状の４本の面ファスナー７ａと、同じく３本の面ファスナー７ｂとを、面ファスナー６ａ、６ｂと面ファスナー７ａ、７ｂとが背中合わせになるように糊層８を介して固着したものである。糊層８は、糊単独からなっていてもよいし、補強のために布地等の両面に糊を塗布したものでもよい。
【００１８】
面ファスナー６ａと面ファスナー６ｂとには互いに色の異なるフックが多数植えられている。面ファスナー７ａと面ファスナー７ｂとにも互いに色の異なるフックが多数植えられ、これらの面ファスナーは交互に配置されている。
【００１９】
ワッペン１０によれば、付属品５が取り付けられていない状態では、あたかも日章旗のワッペンが衣類４に付いているように見えるし、付属品５をベース２に重ねて取り付ければベース２が隠れて図８（ａ）のように二重四角模様又は図８（ｂ）のように縦縞模様のワッペンだけが付いているように見える。即ち、ベース２と付属品５とで三種類の模様を選択的に表現することができる。また、前記日章旗の模様は全てループにて形成されているので、ベース２のループと付属品５のフックとの係り合う力は十分である。
【符号の説明】
【００２０】
１、１０  ワッペン
２  ベース
３、５  付属品
４  衣類
３ａ  布地
２ａ、２ｂ、３ｂ、６ａ、６ｂ、７ａ、７ｂ  面ファスナー
８  糊層
【図１】
2017136157.tif 000003
【図２】
2017136157.tif 000004
【図３】
2017136157.tif 000005
【図４】
2017136157.tif 000006
【図５】
2017136157.tif 000007
【図６】
2017136157.tif 000008
【図７】
2017136157.tif 000009
【図８】
2017136157.tif 000010
【図９】
2017136157.tif 000011
【図１０】
2017136157.tif 000012
【図１１】
2017136157.tif 000013